(57)【要約】【課題】複数画像を同時視聴する場合に、視聴者が理解し易い画像提示処理を提供する。【解決手段】所定の隙間を有するように配された複数の表示部２０から成る第一の表示装置１と、第一の表示装置より後方に配される第二の表示装置から構成し、第一の表示装置と第二の表示装置にそれぞれ異なる画像信号を表示するように構成する。また、表示装置１に画像信号を供給する手段は、表示装置１を構成する複数の表示部の位置情報１８に基づき、各表示部に対応する画像を決定し、供給する。これにより、複数の画像を視聴者から異なる距離に配置して分割し、互いの画像が表示部の隙間から見えるように配置することで、それぞれの画像を容易に区別して認識することができる。【選択図】図１
2009218951.tif 000002
【特許請求の範囲】
【請求項１】
所定の隙間を有するように配された複数の表示部から成る第一の表示装置と、
前記第一の表示装置より後方に配される第二の表示装置と、
前記第一の表示装置と前記第二の表示装置にそれぞれ異なる画像信号を供給する供給部とを備える
画像表示システム。
【請求項２】
請求項１記載の画像表示システムにおいて、
前記第一の表示装置及び前記第二の表示装置に画像信号を供給する供給部は、
表示装置を構成する複数の表示部の位置情報に基づき、各表示部に対応する画像を決定し、供給する
画像表示システム。
【請求項３】
請求項２記載の画像表示システムにおいて、
前記画像信号の供給手段は、前記第一の表示装置及び第二の表示装置の表示部の位置情報に基づき、画像を分割し、前記表示部間の隙間の部分を補正して供給する
画像表示システム。
【請求項４】
請求項２記載の画像表示システムにおいて、
前記画像信号の供給手段は、前記第一の表示装置及び第二の表示装置の表示部の位置情報に基づき、画像を分割し、分割した画像情報を情報欠損なく表示部に供給する
画像表示システム。
【請求項５】
請求項１記載の画像表示システムにおいて
前記第二の表示装置は、複数の表示部を有し、
前記第一の表示装置は、前方から隙間を通して前記第二の表示装置の表示部が見えるように配される
画像表示システム。
【請求項６】
所定の隙間を有するように配された複数の表示部から成る第一の表示装置と、その後方に配される第二の表示装置に画像を表示する画像提示方法において、
前記第一の複数の表示部の位置を特定する処理と、
前記特定した表示部の位置情報を基に画像を分割する処理と、
前記複数の表示部に、前記分割した画像信号を供給する処理により画像を表示する
画像提示方法。
【請求項７】
所定の隙間を有するように配された複数の表示部から成る第一の表示装置と、その後方に配される第二の表示装置に画像を表示させる処理を、情報処理装置に実装することで実行するプログラムにおいて、
前記第一の複数の表示部の位置を特定する処理と、
前記特定した表示部の位置情報を基に画像を分割する処理と、
前記複数の表示部に前記分割した画像信号を供給する処理とを備える
プログラム。
【請求項８】
請求項７に記載のプログラムを格納した
記憶媒体。
【発明の詳細な説明】
【技術分野】
【０００１】
本発明は、画像表示システム及び画像提示方法、並びにその画像提示方法の処理を実行するプログラム、さらにそのプログラムを格納した記憶媒体に関し、特に多数の表示装置を用いて複数の画像を同時に提示する技術に関する。
【背景技術】
【０００２】
視聴者が複数の画像を視聴する場合、一般的には複数のディスプレイを並べてそれぞれに画像を表示して視聴する。例えば、２つの画像を視聴する場合は、図１１に示すようにディスプレイを左右に並べて、２つ画像を同時に表示させて、同時に見られるようにすることが考えられる。
【０００３】
また、他の画像提示処理として、図１２に示すようにブレンディングなどの信号処理を行い、２つの画像を半分の輝度にするなどして変換し、１画面に重畳して表示する処理がある。
【０００４】
特許文献１には、多数の表示装置を接続して使用することにより、単体では提供しない特別の機能を提供する表示装置の例についての開示がある。
【特許文献１】特開２００３−１９５８４３号公報
【発明の開示】
【発明が解決しようとする課題】
【０００５】
ところが、図１１のように左右に配置されたディスプレイの画像を視聴すると、視聴者は視線を左右交互に動かして見ることになり、同時に２つの画像を視聴し、理解することは難しい。また、人間の視覚のうち、視野には「中心視」と「周辺視」という二つの視野領域がある。このうち、「中心視」は、図形認識や色の認識などについて詳細な識別が可能である。一方、「周辺視」は中心視野の周囲にあり、中心視に比べて知覚性能は劣る。そのため、一方のディスプレイを注視した場合、他方のディスプレイの画像の詳細な情報は十分には理解できないという問題がある。
【０００６】
一方、図１２のように２つの画像を重畳して表示することで、視聴者は視線を動かすことなく２つの画像を同時に見ることができる。しかし、画像が混ざっているため、個別の画像を認識し難いという問題がある。
【０００７】
本発明は上記課題に鑑みてなされたものであり、複数の画像を同時視聴する場合に、視聴者が理解し易い画像提示を行うことを目的とする。
【課題を解決するための手段】
【０００８】
本発明は、所定の隙間を有するように配された複数の表示部から成る第一の表示装置と、第一の表示装置より後方に配される第二の表示装置を備えて、その第一及び第二の表示装置で画像を表示する。そして、第一の表示装置と第二の表示装置にそれぞれ異なる画像信号を表示する処理を行う。
【０００９】
このように表示を行うことで、人間の脳の特徴、性質を利用して画像提示を行うことができる。例えば図１３に示すように、人間は、画像を空間方向に分割して複数のディスプレイなどに表示しても、特に違和感なく視聴することができる。これは、画像がばらばらに表示されていても空間やカメラの動き等の連続性によって、人間の脳がディスプレイ間の隙間を補完して１枚の画像として見ることができるためである。更に、表示する画像の内容によっては、空間の欠損がある程度あっても視聴者による理解が十分可能で、欠損が許容されるものもある。そのため、複数画像を同時視聴する場合において、画像を分割表示することは特に問題はない。
【００１０】
また、複数の画像を分割し、それらを混在させて平面上は混ざって見える画像でも、元の画像同士に奥行き差をつけることで、それぞれの認識が容易になる。図１４の（ａ）に示すように、２つの画像を分割し、それらを混在させた状態よりも、図１４の（ｂ）に示すように、元の画像ごとに奥行き差をつけて提示することにより、それぞれの画像を区別し易くすることができる。これは同一平面上にあるものは同時に視野に入りやすいが、空間のつながりのないものが目に入ってくれば違和感を生じ、脳がそれぞれの画像を認識しにくくなるという理由によるものである。
【００１１】
以上のことから、複数の画像をそれぞれの空間で分割し、隙間に互いの画像が見えるように配置し、画像同士に奥行き差をつけることで、視聴者が複数の画像を同時に見やすくすることができる。
【発明の効果】
【００１２】
本発明によると、複数の画像を視聴者から異なる距離に配置して分割し、互いの画像が表示部の隙間から見えるように配置することで、視聴者は複数の画像を同時に視聴することができる。また、視聴者は、同時に複数の分割された画像を見ながら、画像同士の奥行き差によりそれぞれの画像を容易に区別して認識することができる。
【００１３】
また、分割表示や、奥行き差をつけた表示を行うことで、通常のディスプレイに表示するよりも、広がり感や臨場感をより強く感じることができる。
【発明を実施するための最良の形態】
【００１４】
以下、本発明の一実施の形態の例を、図１〜図１０を参照して説明する。
【００１５】
図１は、本実施の形態の例による表示装置の構成例を示すブロック図である。本例の表示装置１は、複数のディスプレイなどから構成する表示部２０と、画像情報の分割処理を行い、表示部２０に提示する制御部１０を備える。制御部１０は、画像情報取得部１１、画像処理部１２、画像提示部１３、通信部１４、視聴者指示入力部１５、超音波通信部１６、システム構成処理部１７とシステム構成情報テーブル１８を備える。
【００１６】
本実施の形態の例においては、制御部１０の処理は、例えば表示部２０を構成するディスプレイなどに設けられた制御装置に備えられたＭＰＵ（Micro Processing Unit:マイクロプロセッサ）に該当する処理を行うプログラムを実装し、そのＭＰＵが備える演算処理機能や記憶機能などを利用して実現したものである。
【００１７】
図２に、本例による表示装置の表示部２０の構成例を示す。本例では、視聴者４からディスプレイまでの距離が同じものをグルーピングし、同じ距離に配置された複数のディスプレイをまとめてひとつの表示部とする。図２では、視聴者からの距離が近いディスプレイ群を表示部２０ａとし、距離が遠いディスプレイ群を表示部２０ｂとする。
【００１８】
図３に、図２に示した表示部を視聴者４の側から見た場合の正面図の例を示す。ディスプレイ２１ａ〜２９ａが表示部２０ａを構成し、ディスプレイ２１ｂ〜２９ｂが表示部２０ｂを構成する。後方の表示部２０ｂのディスプレイは、前方の表示部２０ａの隙間から見えるように配置され、視聴者４は、後方の表示部２０ｂも同時に視聴できるように構成される。
【００１９】
なお、本例では、表示部のグループが２つの例で示しているが、２つ以上のグループで構成することもできる。また、本例では、後方の表示部２０ｂのディスプレイは、前方の表示部２０ａと同様に複数のディスプレイでグループを構成するように説明しているが、１台の大画面のディスプレイで構成してもよい。その場合、視聴者４から見た場合に、前方の表示部２０ａに隠れて見えない部分を考慮して画像を表示するよう処理を行う。
【００２０】
上記表示部２０の構成をふまえ、図１に戻って本例による制御部１０の処理内容について説明する。
【００２１】
画像情報取得部１１は、テレビなどの放送を受信あるいは、記録媒体からの映像再生などを行い、画像情報を出力する画像処理装置２と伝送路を介して接続し、画像信号を入力する端子等で構成され、制御部１０に画像情報を入力する。
【００２２】
システム構成処理部１７は、表示部２０のグループを識別し、システム構成情報テーブル１８を作成する。表示部グループの識別方法には２種類あり、視聴者がリモートコントローラ３などの遠隔操作機器を用いて指示する方法と、表示装置にて自動的に識別する方法がある。視聴者が指示する場合は、視聴者指示入力部１５によりリモートコントローラ３からの入力情報を取得し、システム構成処理部１７へ入力し、処理する。表示装置にて自動的に識別する場合は、超音波通信部１６により各ディスプレイの位置情報やディスプレイの台数などのシステム構成情報を収集し、システム構成処理部１７へ入力し、処理する。超音波通信部１６は、超音波によりディスプレイの座標を計測するための超音波の発信用スピーカと受信用マイクなどの超音波センサと超音波の検出器などから構成する。なお、システム構成処理部１７の処理の詳細については後述する。
【００２３】
画像処理部１２は、システム構成情報テーブル１８の情報を基に、画像情報取得部１１により入力した画像情報の分割処理を行い、表示部グループ内の各ディスプレイに表示する画像の表示範囲を決定する。画像処理部１２の処理の詳細については後述する。
【００２４】
画像提示部１３は、画像処理部１２により決定された分割画像の表示情報を基に、各ディスプレイに表示する画像情報を作成する。通信部１４は、表示部２０の各ディスプレイと伝送路を介して接続し、画像信号を出力する端子等で構成され、画像提示部１３で作成された画像情報を表示部２０の所定のディスプレイへ出力する。
【００２５】
本例では、上記制御部１０の処理を表示部グループに属するディスプレイのうちの１台が行う。１つの表示部グループには、マスタとなるディスプレイを１台定め、マスタディスプレイが上記処理を行い、その他のディスプレイはスレーブディスプレイとし、マスタディスプレイから画像情報を受信し、所定の分割画像を表示する構成とする。
【００２６】
なお、マスタディスプレイは、所定の条件に基づいて決定する。例えば、予め同じグルーブになるディスプレイの中の１台をマスタとして決めておく処理や、ディスプレイに識別番号を設定しておき、表示部グループ内の最小の番号のディスプレイをマスタとする処理などがある。
【００２７】
図４に、システム構成情報テーブル１８のデータ構成例を示す。システム構成情報テーブル１８は、表示部グループを構成するディスプレイの台数や位置情報を格納するものである。システム構成情報テーブル１８は、表示部グループの名称または識別子４１、表示部グループを構成するディスプレイの台数４２、各ディスプレイの座標（ｘ，ｙ，ｚ）４３から構成する。
【００２８】
図５に、制御部１０の画像処理全体を表すフローチャートを示す。図５を参照し、画像処理の処理内容について説明する。
【００２９】
まず、システム構成が変化したかを判定する（ステップＳ５０１）。システム構成情報は、システム構成処理部１７にて作成するが、システム構成の変化有無もシステム構成処理部１７にて判定する。システム構成の変化を検出する処理方法としては、例えば、システム構成情報作成後に、一定周期で各ディスプレイの位置情報を収集し、位置が変化したかを検出するなどの方法がある。更に、システム構成の変化有無を表すフラグなどを設けておき、システム構成の変化を検出した場合は、そのフラグをセットすることでシステム構成の変化ありを表すようにしておく。また、システム起動後の初回処理実行時は、システム構成情報が未作成のため、初回処理時は、システム構成変化ありと同様に判定する。また、自動的にシステム構成変化を検出して判定する処理の他に、視聴者がリモートコントローラ３などの遠隔操作機器を用いてシステム構成情報の更新を指示することもできる。その場合は、任意のタイミングで視聴者がシステム構成情報の更新指示をリモートコントローラ３などから入力すると、上記のシステム構成の変化有無を表すフラグがセットされるようにしておけばよい。
【００３０】
ステップＳ５０１の判定の結果、システム構成の変化ありの場合は、システム構成処理を行う（ステップＳ５０２）。システム構成処理の詳細については、後述する。
【００３１】
次に、視聴者から提示画像の変更要求があるかを判定する（ステップＳ５０３）。視聴者は、リモートコントローラ３などを用いて、どの表示部グループにどの画像を提示するかを入力する。提示する画像を変更したい場合は、変更したい表示部グループに対する提示画像を指定する。それらの入力があるかを判定し、入力がある場合は、提示画像に関する情報を、視聴者指示入力部１５で取得する（ステップＳ５０４）。次に、取得した情報を基に、画像処理部１２において、各表示部グループで提示する画像を決定する（ステップＳ５０５）。次に、画像処理部１２は、画像情報取得部１１から取得した画像情報を入力し、システム構成情報テーブル１８を参照し、表示部グループの個々のディスプレイに表示する画像のズーム位置及びズーム率を決定する（ステップＳ５０６）。ズーム位置・ズーム率決定処理の詳細については、後述する。
【００３２】
次に、決定したズーム位置、ズーム率を基に、画像提示部１３により各ディスプレイに表示する画像情報を作成し、通信部１４を介して対象のディスプレイに画像情報を送信し、画像を提示する（ステップＳ５０７）。次に、画像の提示を終了するかを判定し（ステップＳ５０８）、終了する場合は、画像提示を終了する。終了しない場合は、ステップＳ５０１へ戻り処理を繰り返す。画像提示を終了するか否かは、例えば、視聴者がリモートコントローラ３などから「終了」釦などを選択して指示した場合や、提示している画像情報が終了した場合などの条件を基に判定する。
【００３３】
図６に、画像処理のステップＳ５０２で実行するシステム構成処理の詳細について説明する。このシステム構成処理は、マスタでイスプレイのシステム構成処理部１７によって実行し、まず、システム構成情報を自動作成するか手動作成するかを判定する（ステップＳ６０１）。システム構成情報を自動作成するか手動作成するかは、視聴者に選択させる方法でもよい。例えば、本システムにおいて、システム構成の変化を検出した場合は、いずれかのディスプレイにシステム構成の変化を通知するメッセージなどを表示し、視聴者にシステム構成情報の更新方法を選択させるためのメニューなどを表示する。そのメニューに従って、視聴者がリモートコントローラなどを用いてシステム構成情報の更新方法（自動／手動）を選択するようにしてもよい。
【００３４】
システム構成情報を自動作成する場合は、本処理を実行しているマスタディスプレイから、他のスレーブディスプレイに対してメッセージを送信する（ステップＳ６０２）。メッセージは、視聴者からマスタディスプレイを結ぶ線に垂直な平面に沿って、無線通信などの方法により応答要求メッセージを送信する。次に、スレーブディスプレイから送信された応答メッセージを受信し、受信した応答台数を計測する（ステップＳ６０３）。これにより、視聴者から見た場合に同一平面上に位置する表示部グループのディスプレイの台数を把握する。次に、同じ表示部グループに属するディスプレイに対し、超音波通信部１６を介して超音波返答リクエストを送信する（ステップＳ６０４）。次に、超音波通信部１６により他のディスプレイから返信されてきた超音波情報を受信し、その音の到達時間差から当該ディスプレイの３次元の位置を把握し、座標を決定する（ステップＳ６０５）。そして、表示部グループの全てのディスプレイの位置を把握したかを判定し（ステップＳ６０６）、全ディスプレイの座標が把握できれば次の処理へ進む。把握できていないディスプレイがあれば、ステップＳ６０４に戻り、そのディスプレイに対する処理を行う。
【００３５】
ステップＳ６０１の判定で、システム構成情報を手動作成する場合、まず、視聴者に対してシステム構成情報を作成する表示部グループを選択させる（ステップＳ６０７）。視聴者に情報を入力させる処理は、どのような処理でもよいが、例えば、いずれかのディスプレイにメニューや入力を誘導するメッセージを表示し、それに従って、リモートコントローラなどを操作して情報を入力させ、視聴者指示入力部１５により情報を取得する処理がある。ここでは、表示部グループ名称や、視聴者からの距離（近いグループ、遠いグループなど）などを示し、どのグループのシステム構成情報を作成するかを選択させる。次に、当該表示部グループのディスプレイの台数を入力させる（ステップＳ６０８）。次に、各ディスプレイの座標を入力させる（ステップＳ６０９）。当該表示部グループの全ディスプレイの座標を入力させたら、手動設定終了かを判定し（ステップＳ６１０）、終了であれば、次の処理へ進む。手動設定が終了でなければ、ステップＳ６０７に戻り、他の表示部グループに対する処理を行う。
【００３６】
自動または手動にてディスプレイの台数及び位置情報を取得した後、システム構成処理部１７にて、システム構成情報テーブル１８を作成する（ステップＳ６１１）。最後に、作成したシステム構成情報テーブル１８の情報を他のディスプレイに送信して処理を終了する（ステップＳ６１２）。
【００３７】
図７に、図６に示したシステム構成処理に付随する処理の内容を示す。図７に示した処理は、図６に示したマスタディスプレイの処理と連動して、マスタディスプレイ以外のスレーブディスプレイのシステム構成処理部１７によって行う処理である。
【００３８】
まず、マスタディスプレイからのメッセージを受信し（ステップＳ７０１）、受信したメッセージに対する応答メッセージをマスタディスプレイへ送信する（ステップＳ７０２）。この応答メッセージを基に、マスタディスプレイ側にて表示部グループのディスプレイの台数を把握する。次に、マスタディスプレイからの超音波返答リクエストを受信し（ステップＳ７０３）、受信したリクエストに答えて超音波スピーカから超音波を発信する（ステップＳ７０４）。発信した超音波を基に、マスタディスプレイ側にて当該ディスプレイの位置を把握する。その後、マスタディスプレイからシステム構成情報を受信し（ステップＳ７０５）、受信したシステム構成情報の内容を基に当該スレーブディスプレイのシステム構成情報テーブルを更新する（ステップＳ７０６）。
【００３９】
このように、マスタディスプレイとスレーブディスプレイの間で情報をやりとりすることにより、表示部グループの構成を把握し、システム構成情報を作成することができる。本例では、超音波を用いてディスプレイの位置を把握するため、ディスプレイに超音波の発信用スピーカと、受信用マイクを備える。図８に計測用の超音波スピーカとマイクの構成例を示す。このように、ディスプレイの全面または背面などに１台の超音波スピーカ３１と複数の超音波マイク３２〜３５を設ける。ディスプレイの位置を計測する場合は、計測対象のディスプレイのスピーカから発信された超音波をマスタディスプレイに設けた複数のマイクで受信し、各マイクで受信した時間差を基に当該ディスプレイの３次元座標を測定する。
【００４０】
なお、表示部グループの台数と各ディスプレイの座標の把握は、他の方法でもよい。表示装置を室内で使用する場合、各ディスプレイに超音波測定装置を水平方向に２方向と垂直方向との３方向に対して設け、設置されている部屋の壁面からの距離を測定することにより、座標を把握するような方法でもよい。また、超音波センサによる計測の他にカメラなどを用いた光計測などの計測方法でもよい。
【００４１】
図９に、画像処理のステップＳ５０６で実行するズーム位置・ズーム率決定処理の詳細について説明する。ズーム位置・ズーム率決定処理は、画像処理部１２によって実行し、システム構成情報テーブル１８を参照し、表示部グループの個々のディスプレイに表示する画像のズーム位置、ズーム率を決定する。なお、ここでは、画像の表示モードとして「全情報提示モード」と「見え方優先モード」の２種類とし、どちらの表示モードで視聴するかは視聴者が設定するものとする。このうち、「全情報提示モード」とは、元の画像を複数のディスプレイに分割表示する際に、全ての画像情報を欠損なく表示するモードである。一方、「見え方優先モード」とは、ディスプレイの筐体枠及びディスプレイ間の隙間の部分を考慮し、その部分に位置する画像情報は表示せず、視聴者が違和感なく視聴できるように表示するモードである。フローチャートには特に示していないが、表示モードは、視聴者が予めリモートコントローラなどを用いて選択入力するが、視聴中にモード変更してもよい。
【００４２】
まず、システム構成情報テーブル１８を参照し、表示部グループのシステム構成情報を取得する（ステップＳ９０１）。次に表示モードにより処理を分岐し（ステップＳ９０２）、表示モードが「全情報提示モード」の場合は、全情報提示モードのズーム条件計算処理を行う（ステップＳ９０３）。表示モードが「見え方優先モード」の場合は、見え方優先モードのズーム条件計算処理を行う（ステップＳ９０４）。最後に、ディスプレイ毎のズーム位置・ズーム率の情報を作成し（ステップＳ９０５）、終了する。
【００４３】
図１０の（ａ）に、表示部グループを構成するディスプレイの配置例を、図１０の（ｂ）に、表示部グループに提示する画像例を示す。図１０を参照し、各表示モードのズーム条件計算処理の内容について説明する。
【００４４】
図１０の（ａ）では、９台のディスプレイを配置してあり、１台のディスプレイの縦の長さをｄｈ、横の長さをｄｗとする。また、表示部のＸ軸方向の先頭から終端までの長さをｗ、Ｙ軸方向の先頭から終端までの長さをｈとする。図１０の（ｂ）に示す提示画像は、横の長さをＩｗ、縦の長さをＩｈとする。この場合、Ｘ座標Ｘｍ、Ｙ座標Ｙｍに位置するディスプレイＤ１に表示する画像の表示開始点（ｓｘ，ｓｙ）と表示終了点（ｅｘ，ｅｙ）の座標を算出する。
【００４５】
「見え方優先モード」のズーム条件計算処理は、下記計算式により行う。
表示開始点
ｓｘ＝Ｉｗ×Ｘｍ／ｗ
ｓｙ＝Ｉｈ×Ｙｍ／ｈ
表示終了点
ｅｘ＝ｓｘ＋Ｉｗ×ｄｗ／ｗ
ｅｙ＝ｓｙ＋Ｉｈ×ｄｈ／ｈ  「見え方優先モード」では、上記計算処理により算出した表示開始点から表示終了点の範囲の画像をディスプレイＤ１に表示する。これにより、ディスプレイとディスプレイの間の隙間に当たる部分の画像は表示せず、表示部全体に均等に画像を表示するため、視聴者は違和感なく画像を視聴することができる。
【００４６】
次に、「全情報提示モード」のズーム条件計算処理は、下記計算式により行う。なお、表示対象のディスプレイＤ１は、先頭のディスプレイからＸ軸方向にｐ台目、Ｙ軸方向にｑ台目に位置するものとする。
表示開始点
ｓｘ＝Ｉｗ×｛ｄｗ×（ｐ−１）｝／Σｄｗ
ｓｙ＝Ｉｈ×｛ｄｈ×（ｑ−１）｝／Σｄｈ
表示終了点
ｅｘ＝ｓｘ＋Ｉｗ×ｄｗ／Σｄｗ
ｅｙ＝ｓｙ＋Ｉｈ×ｄｈ／Σｄｈ
「全情報提示モード」では、上記計算処理により算出した表示開始点から表示終了点の範囲の画像をディスプレイＤ１に表示する。これにより、提示する画像全体を画像情報の欠損なく分割してディスプレイに表示することができる。一方、視聴者にはディスプレイとディスプレイの間の隙間の部分が引き延ばされて表示されるように見えるが、表示部を構成するディスプレイの台数を多くし、画像を細分化して表示することで、見え方の違和感を軽減することができる。
【００４７】
このように複数のディスプレイを表示部グループとして構成し、視聴者から異なる距離に配置し、前方の表示部グループの隙間から後方の表示部グループの画像が視聴可能な状態にすることで、同時に複数の画像の情報を認識することができる。
【００４８】
なお、後方に配置する表示部グループを複数のディスプレイではなく１台の大型ディスプレイで構成することもできる。その場合、ズーム条件計算処理の他に、各表示範囲をディスプレイ上のどの部分に表示するかを算出するための計算処理を行い、所定の表示部へ分割した画像を表示するように構成する。
【００４９】
また、本例の表示部の構成として図２に示す構成例を説明したが、他の構成例として図１５に示すような構成としてもよい。表示部の構成としては、表示部グループどうしに奥行き差をつけて配置すればよく、表示部グループのディスプレイは、この他の構成で配置してもよい。
【００５０】
また、本例では、表示する画像情報は、１つの画像とし、表示部グループの複数のディスプレイに分割して表示するように説明したが、属性が等しい複数の画像から構成される画像群を表示するようにしてもよい。例えば、動物の画像群と、果物の画像群などの複数の画像群をそれぞれの表示部グループに表示するように構成してもよい。また、１つの画像と、属性の等しい複数の画像群とを同時に表示するような構成でもよい。このように、複数の画像群を表示する場合は、ズーム条件計算処理を複数画像の表示用に見直すことで対応することができる。
【００５１】
さらにまた、図１に示した構成としては、本実施の形態の処理を実行する制御部１０を備えた構成としたが、かかる制御部１０での処理と同様の処理を行うプログラム（ソフトウェア）を用意し、そのプログラムを、コンピュータ装置などの情報処理装置に実装してもよい。このようにすることで、情報処理装置が、制御部１０と同様の画像信号処理装置として機能するようになる。
コンピュータ装置などに実装させるプログラムは、各種記憶媒体に記憶（記録）させて、配布すればよい。或いは、インターネットなどの伝送媒体を介してユーザに配布してもよい。
【図面の簡単な説明】
【００５２】
【図１】本発明の一実施の形態による構成例を示すブロック図である。
【図２】本発明の一実施の形態による表示部の構成例を示す斜視図である。
【図３】本発明の一実施の形態による表示部の構成例を示す正面図である。
【図４】本発明の一実施の形態によるシステム構成情報テーブルのデータ構成例を示す説明図である。
【図５】本発明の一実施の形態による画像処理例を示すフローチャートである。
【図６】本発明の一実施の形態によるマスタディスプレイのシステム構成処理例を示すフローチャートである。
【図７】本発明の一実施の形態によるスレーブディスプレイのシステム構成処理例を示すフローチャートである。
【図８】本発明の一実施の形態による超音波スピーカとマイクの構成例を示す説明図である。
【図９】本発明の一実施の形態によるズーム位置・ズーム率決定処理例を示すフローチャートである。
【図１０】本発明の一実施の形態によるディスプレイの配置例を示す説明図である。
【図１１】従来の複数画像の同時視聴の例を示す説明図である。
【図１２】従来の複数画像の他の同時視聴の例を示す説明図である。
【図１３】画像の分割提示による空間補完例を示す説明図である。
【図１４】複数画像の奥行き差による分離例を示す説明図である。
【図１５】本発明の他の実施の形態による表示部の構成例を示す説明図である。
【符号の説明】
【００５３】
１…表示装置、２…画像処理装置、３…リモートコントローラ、４…視聴者、１０…制御部、１１…画像情報取得部、１２…画像処理部、１３…画像提示部、１４…通信部、１５…視聴者指示入力部、１６…超音波通信部、１７…システム構成処理部、１８…システム構成情報テーブル、２０、２０ａ、２０ｂ、２０ａ´、２０ｂ´…表示部、２１ａ〜２９ａ、２１ｂ〜２９ｂ…ディスプレイ、３１…超音波スピーカ、３２〜３５…超音波マイク
【図１】
2009218951.tif 000003
【図２】
2009218951.tif 000004
【図３】
2009218951.tif 000005
【図４】
2009218951.tif 000006
【図５】
2009218951.tif 000007
【図６】
2009218951.tif 000008
【図７】
2009218951.tif 000009
【図８】
2009218951.tif 000010
【図９】
2009218951.tif 000011
【図１０】
2009218951.tif 000012
【図１５】
2009218951.tif 000013
【図１１】
2009218951.tif 000014
【図１２】
2009218951.tif 000015
【図１３】
2009218951.tif 000016
【図１４】
2009218951.tif 000017